(57)【特許請求の範囲】
【請求項１】
操作ハンドルを押して走行させながら、ブラシケース内に設けた洗浄ブラシを回転する一方、上記操作ハンドルに取付けたタンク内の洗浄水を、給水ノズルより上記回転する洗浄ブラシ側に給水することによって床面を洗浄すると共に、ブラッシングによって発生した汚水をブロアーの吸引作用が及ぶスキージで吸引して回収するように構成した床面洗浄清掃機であって、
上記操作ハンドルを上記ブラシケースに対して床面上に起立させた垂直方向と、床面側に倒した傾斜方向との間で回動自在に取付け、上記ブラシケースの後方部には左右一対の車輪を取付けて、これ等車輪を取付けた車軸に対して、底面側に補助輪を取付けた補助板を床面に向けて回動自在に取付けると共に、上記操作ハンドルと補助板の間には、伸縮自在で且つ圧縮力を持つ伸縮ダンパーを、その一端を上記操作ハンドルの下方部に設けた回動支点に接続し、他端を上記補助板に設けたスライド長孔にスライド及び回動自在に嵌め込まれたガイド軸に取付けて接続したことを特徴とする床面洗浄清掃機。
【請求項２】
連結支持部材の一端部分に、上方に折畳み回動した補助板に押されて回動して、補助板を折畳み回動位置に係止することができるロック部材を取付けると共に、このロック部材には上記補助板に対するロックを外すことができる解除片を突設したことを特徴とする請求項１に記載の床面洗浄清掃機。
【請求項３】
操作ハンドルの下端部に、操作ハンドルを垂直状態に起立すると、バネの弾発力によってブラシケース側に設けたロック穴に係合して、操作ハンドルを起立状態に支持することができるロックピンを取付けると共に、操作ハンドルの上方部には、上記ロックピンをバネの弾発力に抗して引上げて、上記ロック穴に対する係合を外すことができるロック解除レバーを設けたことを特徴とする請求項１又は２に記載の床面洗浄清掃機。
【発明の詳細な説明】
【０００１】
【発明の属する技術分野】
本発明は、床面を洗浄ブラシで洗浄して清掃することができる床面洗浄清掃機に関するものであって、具体的には、洗浄水のタンクを操作ハンドルに取付けたアップライト型床面洗浄清掃機に関するものである。
【０００２】
【従来の技術】
アップライト型床面洗浄清掃機に関しては、特開２００１−９５７３７に見られるように、操作ハンドルに取付けたタンク内の洗浄水を散布しながら床面を洗浄ブラシで洗浄し、洗浄後の汚水を吸引作用が及ぶスキージで吸引して上記のタンクに回収して、この汚水を濾過して再び洗浄水として循環使用するように構成したものが存在する。
【０００３】
【発明が解決しようとする課題】
しかし、上記従来のアップライト型床面洗浄清掃機は、操作ハンドルに洗浄水を入れるタンクが取付けられているため、ハンドル操作に当って、タンクの重量がそのまま操作ハンドルに掛かってしまって、操作性に影響を及ぼす問題があり、特に、タンクに洗浄水が満タン状態に収容されている場合は、操作ハンドルを支えるのが大変で、床面の洗浄に支障を及ぼす問題があった。
【０００４】
従って本発明の技術的課題は、操作ハンドルに取付けたタンクの重量が、操作ハンドルに直接掛って操作者の負担にならないように対策を講じると共に、その対策があまり大げさなものではなく、コンパクトな構造で操作者の負担を確実に軽減できると共に、その取扱いも極めて簡単に行うように工夫して床面洗浄清掃機を提供することである。
【０００５】
【課題を解決するための手段】
上記の技術的課題を解決するために本発明で講じた手段は以下の如くである。
【０００６】
（１）  前記請求項１に係る床面洗浄清掃機は、操作ハンドルを押して走行させながら、ブラシケース内に設けた洗浄ブラシを回転する一方、上記操作ハンドルに取付けたタンク内の洗浄水を、給水ノズルより上記回転する洗浄ブラシ側に給水することによって床面を洗浄すると共に、ブラッシングによって発生した汚水をブロアーの吸引作用が及ぶスキージで吸引して回収するように構成した床面洗浄清掃機であって、
上記操作ハンドルを上記ブラシケースに対して床面上に起立させた垂直方向と、床面側に倒した傾斜方向との間で回動自在に取付け、上記ブラシケースの後方部には左右一対の車輪を取付けて、これ等車輪を取付けた車軸に対して、底面側に補助輪を取付けた補助板を床面に向けて回動自在に取付けると共に、上記操作ハンドルと補助板の間には、伸縮自在で且つ圧縮力を持つ伸縮ダンパーを、その一端を上記操作ハンドルの下方部に設けた回動支点に接続し、他端を上記補助板に設けたスライド長孔にスライド及び回動自在に嵌め込まれたガイド軸に取付けて接続したことを特徴としている。
【０００７】
（２）  前記請求項２に係る床面洗浄清掃機は、連結支持部材の一端部分に、上方に折畳み回動した補助板に押されて回動して、補助板を折畳み回動位置に係止することができるロック部材を取付けると共に、このロック部材には上記補助板に対するロックを外すことができる解除片を突設したことを特徴としている。
【０００８】
（３）  前記請求項３に係る床面洗浄清掃機は、操作ハンドルの下端部に、操作ハンドルを垂直状態に起立すると、バネの弾発力によってブラシケース側に設けたロック穴に係合して、操作ハンドルを起立状態に支持することができるロックピンを取付けると共に、操作ハンドルの上方部には、上記ロックピンをバネの弾発力に抗して引上げて、上記ロック穴に対する係合を外すことができるロック解除レバーを設けたことを特徴としている。
【０００９】
上記（１）で述べた請求項１に係る手段によれば、洗浄清掃時に於ける操作ハンドルに掛るタンクの重量を、補助板を床面側に回動することによって、この補助板と操作ハンドルとの間に設けた伸縮自在で且つ圧縮力を持つ伸縮ダンパーが支持するため、作業者が操作ハンドルを床面側に傾斜させながら操作する場合でも、操作ハンドルに掛るタンクの重量を軽減することができるものであって、タンクが満タン状態であったとしても、洗浄清掃機を円滑に運転することを可能にする。
【００１０】
更に上記（１）で述べた請求項１に係る手段によれば、補助板の補助輪を床面に接地させることにより、ブラシケースの移動に追従しながら、上記伸縮ダンパーによる操作ハンドルの支持を安定した状態で行うことができる。また、補助板と操作ハンドルの間を、伸縮自在で且つ圧縮力を持つ上記の伸縮ダンパーを用いて接続すると共に、この伸縮ダンパーの一端をその一端に取付けたガイド軸を補助板のスライド長孔にスライド及び回動自在に嵌め込んで接続しているため、操作者は操作ハンドルを任意の傾斜角度に維持しながら、タンクの重量が軽減された状態で安全に運転操作でき、而かも、操作ハンドルを元の位置に戻す場合も、上記ガイド軸のスライドに従って少ない力で容易に戻すことを可能にする。
【００１１】
上記（２）で述べた請求項２に係る手段によれば、床面側に回動した補助板を上方に折畳み回動すると、この補助板に押されてロック部材が回動して補助板を折畳み位置にロックすることができるため、機体の保管時や運搬時には補助板を折畳んでロックすることにより、狭いスペースで保管や運搬を行うことができると共に、使用時には解除片を操作してロックを簡単に外し、補助板を素早く床面側に回動することを可能にする。
【００１２】
上記（３）で述べた請求項３に係る手段によれば、操作ハンドルをロックピンによって直立した垂直状態に支持できるため、上記補助板を折畳んでロックできる点と相俟って、機体の全体を更に狭いスペースで保管したり運搬したりすることを可能にすると共に、使用時にはロック解除レバーの操作によってロックピンによるロックを解いて、操作ハンドルを自由に回動操作することを可能にする。
【００１３】
【発明の実施の形態】
以下に上述した本発明に係る床面洗浄清掃機の実施の形態を図面と共に説明すると、図１は操作ハンドルを直立状態にロックした保管時の状態を説明した全体の側面図、図２はロックを外して操作ハンドルを傾斜した運転操作時の状態を説明した全体の側面図、図３は操作ハンドルの傾斜を更に深めた運転操作時の状態を説明した全体の側面図、図４は要部の背面図、図５は補助板を折畳んだ状態を示した要部の側面図、図６は補助板のロックを外している状態を説明した要部の側面図、図７は本発明で用いるロック部材の斜視図である。
【００１４】
上述した各図に於いて、符号１で全体的に示した本発明に係る床面洗浄清掃機は、主としてブラシケース２と、このブラシケース２を運転操作する操作ハンドル４と、ブラシケース２の後方部に上下回動自在に取付けた補助板２０とによって構成されている。
【００１５】
ブラシケース２の内部には、モータ１１と、減速機１２と、ブラシカバー１４Ｋと、このブラシカバー１４Ｋの内側で上記モータ１１及び減速機１２によって減速回転する洗浄ブラシ１４と、この洗浄ブラシ１４の前後に設けた汚水吸引用のスキージ１５，１６が設けられている。尚、図中１３は洗浄ブラシ１４の取付盤を示す。
【００１６】
操作ハンドル４は、下端部に連設した二又の支持脚４Ｈを、上記ブラシケース２に連設した後部フレーム３の左右両側に取付軸７を用いて取付けることによって、ブラシケース２に対して床面Ｆ上に起立した垂直方向（図１）と、床面Ｆ側に倒した傾斜方向（図２、図３）との間で、回動自在に取付けられていて、上端部に設けた操作ボックス５には、運転用のグリップ５Ａと、前記モータ１１のＯＮ／ＯＦＦや、その他の操作を行う操作レバー５Ｂと、後述するロックピン用のロック解除レバー５Ｃが設けられ、更に操作ハンドル４の中間部分の前面部（進行方向）には、洗浄水を収容するタンク８が取付けられている。
【００１７】
上記のタンク８に収容された洗浄水は、タンク下側の給水バルブ８Ａより、給水パイプ８Ｐを通して前記洗浄ブラシ１４の部分に給水されて、洗浄ブラシ１４の回転による床面Ｆの洗浄を可能にすると共に、洗浄後に生じる汚水は、床面洗浄清掃機１とは別に設けた吸引ブロアー（図示省略）の吸引作用を、吸引ホース１７と、ブラシケース２の内部に前後に分岐形成した吸引通路１５Ｒ，１６Ｒ  （図１、図５参照）を通して前後のスキージ１５，１６に及ぼすことにより、床面Ｆより吸引して、吸引ブロアー側のタンク（図示省略）に回収する仕組に成っている。
【００１８】
尚、図中１７Ｘ，１７Ｘは上記の吸引ホース１７を操作ハンドル４に取付ける取付具を示し、また、図１と図５に於いて１７Ｔはブラシケース２の内部に挿入した吸引ホース１７の下端部を示し、図５に於いて１７Ｈは前記吸引通路１５Ｒ，１６Ｒに接続する吸引ホース１７の接続口を示す。更に、図４乃至図６に於いて１５Ａと１６Ａは各スキージ１５，１６に取付たスキージブレードを示す。
【００１９】
次に、６は上記操作ハンドル４の下端部４Ｅ内に、常時バネ６Ｓによって下方に弾発するようにスライド自在に嵌込んだロックピン、３Ｒは前述した後部フレーム３に設けた上面ガイド辺３Ｂの部分に設けたロック穴で、操作ハンドル４を図１、図５、図６に示すように垂直状態に回動すると、ロックピン６がバネ６Ｓに弾発されてロック穴３Ｒ内に係合して、操作ハンドル４の垂直状態を維持することができ、また、操作ハンドル４を回動する時は、前記ロック解除レバー５Ｃを引くと、図５並びに図６に示したワイヤー５Ｄがバネ６Ｓの弾発力に抗してロックピン６をロック穴３Ｒから引き抜いて、ロックを外す仕組に成っている。
【００２０】
更に図中、１０，１０は車軸９を用いて上記後部フレーム３の後端部３Ａに回転自在に取付た左右一対（図４参照）の走行用車輪、２０はこの車軸９を用いてブラシケース２の後側に上下回動自在に取付た補助板、２１はこの補助板２０の先端側底面に取付た補助輪で、図２並びに図３の如く補助板２０を床面Ｆに向けて降下回動すると、補助輪２１が床面Ｆに接地して支持される仕組に成っている。
【００２１】
２４は上下両端部を操作ハンドル４と上記補助板２０の間に取付た連結支持部材としての伸縮ダンパー、２４Ｋは保護カバーであって、伸縮自在で且つ圧縮力を持つこの伸縮ダンパー２４の上部伸縮杆２４Ｘの先端は、操作ハンドル４の下端部４Ｅの背面に溶接したステー２７に設けられている取付軸２５に対して、回動自在に取付られている。また、上記伸縮ダンパー２４の根端部は、そのガイド軸２４Ｚを補助板２０に取付けたガイド板２２に設けられているスライド長孔２２Ｒに嵌込むことによって、補助板２０に対してスライド及び回動自在に取付られている。
【００２２】
尚、スライド長孔２２Ｒは、その全体形状を図２或は図３に示すように一端に略く字状に形成した屈曲部を有する細長い溝状に造ることによって、図１、図５、図６に示した補助板２０の折畳み状態を安定した状態に維持する一方、図２、図３の如く補助板２０を床面Ｆに向けて回動する場合は、取付軸２４Ｚを勢い良くスライドさせて、補助板２０の回動をスムーズに行えるように工夫されている。
【００２３】
次に、２６は前記伸縮ダンパー２４の上端部を操作ハンドル４側に取付ける取付軸２５に対して、回動自在に取付けたロック部材であって、図７に示すようにこのロック部材２６には、図１及び図５に示す如く補助板２０の全体を車軸９を支点にして上方に折畳み回動した時に、補助板２０の先端部上面に突設した係止板２０Ｔに押されて、ロック部材２６の全体を取付軸２５を中心に図１、図５、図７に於いて時計回転方向に回動した後、図１並びに図５に示す如く上記の係止板２０Ｔに係止して、補助板２０を折畳んだ状態に保持することができる係止爪２６Ａと、この折畳んだ補助板２０の係止を外す時に、補助板２０を押し戻すことができる押圧アーム２６Ｃとを備えている。
【００２４】
更にロック部材２６には、前記ステー２７の突片２７Ａと、前記押圧アーム２６Ｃに設けた切欠溝２６Ｄの間に張設して、ロック部材２６の全体を常時時計回転方向、即ち、上記係止爪２６Ａが係止板２０Ｔに係止している状態を維持する方向に回動作用せしめる牽引スプリング２８と、上記取付軸２５を支持するブラケット２６Ｃ′と、ロック部材２６の全体を回動して上記係止爪２６Ａの係止を外すことができる解除片２６Ｂと、取付軸２５を挿通する軸孔２６Ｘ，２６Ｘが設けられている。
【００２５】
上記の解除片２６Ｂを用いて係止爪２６Ａの係止を外す場合は、図６に示すように解除片２６Ｂを上方に押し上げて、ロック部材２６の全体を牽引スプリング２８の牽引力に抗して取付軸２５を中心に反時計回転方向に回動すれば、係止板２０Ｔに対する係止爪２６Ａの係止を解くと共に、上記押圧アーム２６Ｃが補助板２０を押し戻すため、補助板２０を床面Ｆに向けて自由に降下回動することができる。
【００２６】
本発明に係る床面洗浄清掃機は以上述べた如き構成であるから、保管や運搬等の不使用時には、補助板２０を図１並びに図６に示すように上方に折畳んで係止爪２６Ａで係止状態とし、且つ、操作ハンドル４を同図の垂直状態にロックすれば、少ないスペースでの保管や運搬を可能にする。また、床面Ｆを洗浄清掃する時は、図２並びに図３の如く係止爪２６Ａによる係止を解いて補助板２０を床面Ｆに向けて降下回動すると共に、操作ハンドル４のロックも外してこれを少し倒した状態に傾斜させれば、洗浄ブラシ１４による床面Ｆの洗浄をスムーズに行うことができ、且つ、洗浄水が収容されたタンク８の重量を伸縮ダンパー２４を介して補助板２０及び補助輪２１が支えるため、操作ハンドル４に掛る重量を軽減することができる。
【００２７】
【発明の効果】
以上述べた次第で、本発明に係る床面洗浄清掃機によれば、アップライト型床面洗浄清掃機の欠点であったタンクの重量が操作ハンドルに掛る問題を、補助板と伸縮自在で且つ圧縮力を持つ伸縮ダンパーを設けることによって解決して、操作ハンドルを軽く操作しながら床面の隅々まで確実に洗浄できる利点を発揮できるものであって、補助板を折畳み状態に係止でき、その係止の解除も簡単に行える点、並びに、操作ハンドルの垂直状態のロックも可能にした点と相俟って、機能性に優れた床面洗浄清掃機を提供することができる。
【図面の簡単な説明】
【図１】  操作ハンドルを垂直状態にロックして補助板を折畳んだ保管時の状態を説明した本発明の全体側面図。
【図２】  本発明の使用時の状態を説明した全体の側面図。
【図３】  同じく本発明の使用時の状態を説明した全体の側面図。
【図４】  本発明の要部の構成を説明した背面図。
【図５】  ロック時に於ける本発明の要部の構成を説明した側面図。
【図６】  ロックを解除している時の本発明の要部の構成を説明した側面図。
【図７】  ロック部材の構成を説明した斜視図。
【符号の説明】
１              床面洗浄清掃機
２              ブラシケース
３              後部フレーム
３Ｒ            ロック穴
４              操作ハンドル
５Ｃ            ロック解除レバー
６              ロックピン
６Ｓ            バネ
８              タンク
９              車軸
１０            走行用車輪
１１            モータ
１４            洗浄ブラシ
１５，１６      スキージ
１７            吸引ホース
２０            補助板
２０Ｔ          係止片
２１            補助輪
２２            ガイド板
２２Ｒ          スライド長孔
２４            伸縮ダンパー
２６            ロック部材
２６Ａ          ロック爪
２６Ｂ          解除片
Ｆ              床面
【図１】
0004000249.tif 000002
【図２】
0004000249.tif 000003
【図３】
0004000249.tif 000004
【図４】
0004000249.tif 000005
【図５】
0004000249.tif 000006
【図６】
0004000249.tif 000007
【図７】
0004000249.tif 000008